(57)【特許請求の範囲】
【請求項１】
端末で行われた行動記録が前記端末のユーザ情報及び前記端末で行動した時刻に関連付けて記憶される行動記録データベースと、
端末から受信した検索ワードのうち、単位時間当たりの受信数及びその上昇率が一定の値を超える検索ワードが急上昇ワードとして前記受信数及びその上昇率が一定の値を超えた時刻に関連付けて記憶される急上昇ワードデータベースと、
前記行動記録データベースに記憶された行動記録のうち、前記急上昇ワードデータベースに記憶された急上昇ワードに関連する行動記録であって、その行動の時刻が前記急上昇ワードに関連付けられた時刻から起算して所定の時間経過するまでに記憶された行動記録をその行動をしたユーザ情報とともに抽出し、所定の記憶領域に記憶する急上昇ワード行動ユーザ抽出・記憶手段とを備える装置。
【請求項２】
流行語に反応するユーザをコンピュータが検知する方法であって、
前記コンピュータが、
端末で行われた行動記録が前記端末のユーザ情報及び前記端末で行動した時刻に関連付けて記憶される行動記録データベースと、
端末から受信した検索ワードのうち、単位時間当たりの受信数及びその上昇率が一定の値を超える検索ワードが急上昇ワードとして前記受信数及びその上昇率が一定の値を超えた時刻に関連付けて記憶される急上昇ワードデータベースとを備え、
前記行動記録データベースに記憶された行動記録のうち、前記急上昇ワードデータベースに記憶された急上昇ワードに関連する行動記録であって、その行動の時刻が前記急上昇ワードに関連付けられた時刻から起算して所定の時間経過するまでに記憶された行動記録をその行動をしたユーザ情報とともに抽出し、所定の記憶領域に記憶する急上昇ワード行動ユーザ抽出・記憶工程を実行する方法。
【発明の詳細な説明】
【技術分野】
【０００１】
本発明は、流行語に反応するユーザを検知する装置及びその方法に関する。
【背景技術】
【０００２】
インターネットの普及に伴い、Ｗｅｂページにおけるバナー広告が多く用いられるようになってきている。バナー広告の特徴として、ユーザーの嗜好を分析し、それに適した広告を出し分けられることが挙げられる。広告を出し分ける手法として、ユーザーが検索した言葉と同じキーワードを持つ広告を検索連動型広告として提供することが知られている。また、Ｗｅｂページに含まれる言葉と同じキーワードを持つ広告をコンテンツマッチ広告として提供することが知られている（例えば、特許文献１参照）。
【先行技術文献】
【特許文献】
【０００３】
【特許文献１】特開２０１１−２８５９６号公報
【発明の概要】
【発明が解決しようとする課題】
【０００４】
ところで、流行に沿った新商品の広告を的確に提供するには、その広告をユーザの嗜好に合わせてタイムリーに提供することが好ましい。しかし、検索連動型広告の手法では、広告配信の時点において上記流行に関連したキーワードを用いて検索していなければ、広告を配信するタイミングが遅れてしまう。コンテンツマッチ広告の手法であっても同様に、広告配信の時点において上記流行に関連したキーワードがＷｅｂページに含まれていなければ、広告を配信するタイミングが遅れてしまう。そこで、流行に沿った新商品の広告を配信する時点において、その新商品のキーワードとなる流行語に反応するユーザを的確に検知可能な装置及び方法の提供が求められている。
【０００５】
本発明は、流行語に反応するユーザを的確に検知することの可能な装置及びその方法を提供することを目的とする。
【課題を解決するための手段】
【０００６】
本発明では、以下のような解決手段を提供する。
【０００７】
（１）  端末で行われた行動記録が前記端末のユーザ情報及び前記端末で行動した時刻に関連付けて記憶される行動記録データベースと、端末から受信した検索ワードのうち、単位時間当たりの受信数及びその上昇率が一定の値を超える検索ワードが急上昇ワードとして前記受信数及びその上昇率が一定の値を超えた時刻に関連付けて記憶される急上昇ワードデータベースと、前記行動記録データベースに記憶された行動記録のうち、前記急上昇ワードデータベースに記憶された急上昇ワードに関連する行動記録であって、その行動の時刻が前記急上昇ワードに関連付けられた時刻から起算して所定の時間内である行動記録をその行動をしたユーザ情報とともに抽出し、所定の記憶領域に記憶する急上昇ワード行動ユーザ抽出・記憶手段とを備える装置。
【０００８】
（１）に記載の発明によれば、急上昇ワード行動ユーザ抽出・記憶手段は、行動記録データベースに記憶された行動記録のうち、急上昇ワードデータベースに記憶された急上昇ワードに関連する行動記録であって、その行動の時刻が前記急上昇ワードに関連付けられた時刻から起算して所定の時間内である行動記録をその行動をしたユーザ情報とともに抽出し、所定の記憶領域に記憶する。そのため、流行に沿った商品の広告を新たに配信しようとする場合、上記所定の記憶領域を参照すれば、当該記憶領域に記憶されているユーザが参照の時点においてキーワード検索等を行っていなくても、当該商品のキーワードとなる流行語に反応するユーザとして検知される。したがって、流行に沿った新商品に反応するユーザにタイムリーに情報を発信することの可能な装置を提供できる。
【０００９】
（２）  流行語に反応するユーザをコンピュータが検知する方法であって、前記コンピュータが、端末で行われた行動記録が前記端末のユーザ情報及び前記端末で行動した時刻に関連付けて記憶される行動記録データベースと、端末から受信した検索ワードのうち、単位時間当たりの受信数及びその上昇率が一定の値を超える検索ワードが急上昇ワードとして前記受信数及びその上昇率が一定の値を超えた時刻に関連付けて記憶される急上昇ワードデータベースとを備え、前記行動記録データベースに記憶された行動記録のうち、前記急上昇ワードデータベースに記憶された急上昇ワードに関連する行動記録であって、その行動の時刻が前記急上昇ワードに関連付けられた時刻から起算して所定の時間内である行動記録をその行動をしたユーザ情報とともに抽出し、所定の記憶領域に記憶する急上昇ワード行動ユーザ抽出・記憶工程を実行する方法。
【００１０】
（２）に記載の方法によれば、当該方法に係る発明を実施することにより、（１）と同様の効果が期待できる。
【発明の効果】
【００１１】
本発明によれば、流行語に反応するユーザを的確に検知することの可能な装置及びその方法を提供できる。
【図面の簡単な説明】
【００１２】
【図１】本発明の実施形態に係る急上昇ワード行動ユーザ検知装置１を説明するための全体構成を示す図である。
【図２】本発明の実施形態に係る行動記録データベース２１を示す図である。
【図３】本発明の実施形態に係る急上昇ワードデータベース２２を示す図である。
【図４】本発明の実施形態に係る流行ユーザデータベース２３を示す図である。
【図５】本発明の実施形態に係る急上昇ワード行動ユーザ検知装置１のタイミングチャートである。
【発明を実施するための形態】
【００１３】
［全体構成］
以下、本発明の好適な実施形態について図を参照しながら説明する。
図１は、急上昇ワード行動ユーザ検知装置１を説明するための全体構成を示す図である。急上昇ワード行動ユーザ検知装置１は、端末２とネットワークを介して接続され、急上昇ワード行動ユーザ検知装置１に係る各機能を統括的に制御する制御部１０と、この制御部１０の動作に必要な情報等が記憶される記憶部２０とを備える。
【００１４】
制御部１０は、端末２からその端末２で行われた行動記録を端末２のユーザ情報及び端末２で行動した時刻の情報とともに受け付ける行動記録受付部１１を備え、記憶部２０は、端末２で行われた行動記録が端末２のユーザ情報及び端末２で行動した時刻に関連付けて記憶される行動記録データベース２１を備える。行動記録受付部１１及び行動記録データベース２１は、行動記録受付手段として機能する。
【００１５】
図２は、行動記録データベース２１の一例である。行動記録データベース２１は、ログを管理するためのデータベースである。また、行動記録は、端末２からネットワークを介して行った操作の全てを含むものであり、メールの送受信、Ｗｅｂページの受信、予定の登録、物品の購入、動画の視聴等、あらゆる操作を含む。
【００１６】
行動記録データベース２１は、端末２のユーザを識別する「ユーザＩＤ」フィールドと、そのユーザが端末２で行った行動の内容を示す「行動内容」フィールドと、その行動を行った時刻を示す「行動時刻」フィールドとを有する。
【００１７】
図１に戻り、記憶部２０は、端末２から受信した検索ワードのうち、単位時間当たりの受信数及びその上昇率が一定の値を超える検索ワードが急上昇ワードとして受信数及びその上昇率が一定の値を超えた時刻に関連付けて記憶される急上昇ワードデータベース２２を備える。検索サーバには、急上昇ワードを抽出する急上昇ワード抽出装置が接続されている。急上昇ワードの抽出は、この急上昇ワード抽出装置において行われ、この急上昇ワード抽出装置での抽出結果が急上昇ワードデータベース２２に記憶される。
【００１８】
図３は、急上昇ワードデータベース２２の一例である。急上昇ワードデータベース２２は、急上昇ワードを示す「急上昇ワード」フィールドと、単位時間当たりの受信数及びその上昇率が一定の値を超えた時刻を示す「急上昇時刻」フィールドと、急上昇ワードが属するカテゴリを示す「カテゴリ」フィールドとを有する。
【００１９】
図１に戻り、制御部１０は、行動記録データベース２１に記憶された行動記録のうち、急上昇ワードデータベース２２に記憶された急上昇ワードに関連する行動記録であって、その行動の時刻が急上昇ワードに関連付けられた時刻から起算して所定の時間内（本実施形態では３時間）である行動記録をその行動をしたユーザ情報とともに抽出して記憶する急上昇ワード行動ユーザ抽出・記憶部１２を備え、記憶部２０は、急上昇ワード行動ユーザ抽出・記憶部１２での抽出結果を記憶する流行ユーザデータベース２３を備える。急上昇ワード行動ユーザ抽出・記憶部１２及び流行ユーザデータベース２３は、急上昇ワード行動ユーザ抽出・記憶手段として機能する。
【００２０】
図４は、流行ユーザデータベース２３の一例である。流行ユーザデータベース２３は、急上昇ワード行動ユーザ抽出・記憶部１２が抽出したユーザ情報を示す「ユーザＩＤ」フィールドと、そのユーザが行った、急上昇ワードに関連する行動の内容を示す「行動内容」フィールドと、その行動内容に係る急上昇ワードが属するカテゴリを示す「反応カテゴリ」フィールドとを有する。
【００２１】
図１に戻り、制御部１０は、流行ユーザデータベース２３を参照し、新商品の広告が属するカテゴリを「反応カテゴリ」とするユーザにその新商品の広告を送信する新商品広告送信部１３を備える。この新商品広告送信部１３は、新商品広告送信手段として機能する。また、制御部１０は、流行ユーザデータベース２３を参照し、急上昇ワードに反応するユーザの属性をモニタリングする流行ユーザモニタリング部１４を備える。この流行ユーザモニタリング部１４は、流行ユーザモニタリング手段として機能する。
【００２２】
［本実施形態のハードウェア及びソフトウェアの構成］
本実施形態のハードウェア及びソフトウェアの構成について説明する。急上昇ワード行動ユーザ検知装置１のハードウェアには、制御装置（制御部）としてのＣＰＵの他、記憶装置（記憶部）、通信装置（通信部）、表示装置（表示部）及び入力装置（入力部）が含まれる。記憶装置（記憶部）としては、例えば、メモリ（ＲＡＭ、ＲＯＭ等）、ハードディスクドライブ（ＨＤＤ）又は光ディスク（ＣＤ、ＤＶＤ等）ドライブ等が挙げられる。通信装置（通信部）としては、例えば、各種有線又は無線インターフェース装置等が挙げられる。表示装置（表示部）としては、例えば、液晶ディスプレイ又はプラズマディスプレイ等の各種ディスプレイが挙げられる。入力装置（入力部）としては、例えば、キーボード、ポインティング・デバイス（マウス等）又はリモコン装置等が挙げられる。
【００２３】
急上昇ワード行動ユーザ検知装置１のソフトウェアには、上記ハードウェアを制御するプログラムやデータが含まれる。プログラムやデータは、記憶装置（記憶部）により記憶され、制御装置（制御部）により適宜実行、参照される。また、コンピュータ・プログラムやデータは、電磁的方法により配布することも可能であり、ＣＤ−ＲＯＭ等のコンピュータ可読媒体に記録して配布することも可能である。
【００２４】
［タイミングチャート］
図５は、本実施形態に係る急上昇ワード行動ユーザ検知装置１のタイミングチャートである。このタイミングチャートを参照しながら急上昇ワード行動ユーザ検知装置１の実施例を説明する。
【００２５】
まず、３月１３日１１：００に、ユーザＩＤ「００１」のユーザは、自己の端末２において、Ａブランドの洋服をインターネットで検索する。行動記録受付部１１は、この検索行動をユーザＩＤ「００１」及びその行動の時刻とともに受け付け、行動記録データベース２１に記憶させる。
【００２６】
この時刻の少し前から、「Ａブランド」を検索ワードとする検索が数多く行われている。そして、１１：００において、「Ａブランド」は、単位時間当たりの受信数及びその上昇率が一定の値を超えている。そこで、図示しない急上昇ワード抽出装置は、検索ワード「Ａブランド」を急上昇時刻及び「Ａブランド」が属するカテゴリ「ファッション」とともに所定の記憶領域に記憶する。この記憶内容は、急上昇ワードデータベース２２にも記憶される。
【００２７】
その後、３月１３日１２：１５に、ユーザＩＤ「００２」のユーザは、自己の端末２において、Ａブランドの靴の購入操作を行う。行動記録受付部１１は、この購入操作をユーザＩＤ「００２」及びその行動の時刻とともに受け付け、行動記録データベース２１に記憶させる。
【００２８】
この時刻の少し前から、「Ｂ遊園地」を検索ワードとする検索が数多く行われている。そして、１２：１５において、「Ｂ遊園地」は、単位時間当たりの受信数及びその上昇率が一定の値を超えている。そこで、図示しない急上昇ワード抽出装置は、検索ワード「Ｂ遊園地」を急上昇時刻及び「Ｂ遊園地」が属するカテゴリ「テーマパーク」とともに所定の記憶領域に記憶する。この記憶内容は、急上昇ワードデータベース２２にも記憶される。
【００２９】
その後、３月１３日１５：００に、急上昇ワード行動ユーザ抽出・記憶部１２は、行動記録データベース２１に記憶された行動記録のうち、急上昇ワードデータベース２２に記憶された急上昇ワードに関連する行動記録であって、その行動の時刻が急上昇ワードに関連付けられた時刻から起算して３時間以内である行動記録をその行動をしたユーザのユーザＩＤとともに抽出し、流行ユーザデータベース２３に記憶する。
【００３０】
本実施例では、行動記録データベース２１に記憶された行動記録「Ａブランドの洋服をインターネットで検索」は、急上昇ワードデータベース２２に記憶された急上昇ワード「Ａブランド」に関連する行動記録であって、その行動の時刻「３月１３日１１：００」が急上昇ワードに関連付けられた時刻「３月１３日１１：００」から起算して３時間以内である。そのため、急上昇ワード行動ユーザ抽出・記憶部１２は、この行動記録「Ａブランドの洋服をインターネットで検索」をその行動をしたユーザのユーザＩＤ「００１」及び急上昇ワード「Ａブランド」が属するカテゴリ「ファッション」とともに抽出し、流行ユーザデータベース２３に記憶する。
【００３１】
同様に、行動記録データベース２１に記憶された行動記録「Ａブランドの靴を購入」は、急上昇ワードデータベース２２に記憶された急上昇ワード「Ａブランド」に関連する行動記録であって、その行動の時刻「３月１３日１２：１５」が急上昇ワードに関連付けられた時刻「３月１３日１１：００」から起算して３時間以内である。そのため、急上昇ワード行動ユーザ抽出・記憶部１２は、この行動記録「Ａブランドの洋服をインターネットで検索」をその行動をしたユーザのユーザＩＤ「００２」及び急上昇ワード「Ａブランド」が属するカテゴリ「ファッション」とともに抽出し、流行ユーザデータベース２３に記憶する。
【００３２】
続いて、３月１４日９：００の少し前から、「アイドルＣ」を検索ワードとする検索が数多く行われている。そして、９：００において、「アイドルＣ」は、単位時間当たりの受信数及びその上昇率が一定の値を超えている。そこで、図示しない急上昇ワード抽出装置は、検索ワード「アイドルＣ」を急上昇時刻及び「アイドルＣ」が属するカテゴリ「アイドル」とともに所定の記憶領域に記憶する。この記憶内容は、急上昇ワードデータベース２２にも記憶される。
【００３３】
その後、３月１４日９：１５に、行動記録受付部１１は、ユーザＩＤ「００３」のユーザが所有する端末２が有するＧＰＳ機能からＢ遊園地の位置情報を受け付ける。行動記録受付部１１は、この位置情報からユーザＩＤ「００３」のユーザがＢ遊園地に移動したものと識別し、この移動行動をユーザＩＤ「００２」及びその移動の時刻とともに受け付け、行動記録データベース２１に記憶させる。
【００３４】
その後、３月１４日１１：３０に、ユーザＩＤ「００３」のユーザは、自己の端末２からソーシャルネットワークサービス（ＳＮＳ）を通じてアイドルＣの握手会に参加したことを外部に伝達する。行動記録受付部１１は、この伝達操作からユーザＩＤ「００３」のユーザがアイドルＣの握手会に参加したものと識別し、アイドルＣの握手会への参加行動をユーザＩＤ「００３」及びその移動の時刻とともに受け付け、行動記録データベース２１に記憶させる。
【００３５】
その後、３月１４日１５：００に、急上昇ワード行動ユーザ抽出・記憶部１２は、行動記録データベース２１に記憶された行動記録のうち、急上昇ワードデータベース２２に記憶された急上昇ワードに関連する行動記録であって、その行動の時刻が急上昇ワードに関連付けられた時刻から起算して３時間以内である行動記録をその行動をしたユーザのユーザＩＤとともに抽出し、流行ユーザデータベース２３に記憶する。
【００３６】
本実施例では、行動記録データベース２１に記憶された行動記録「Ｂ遊園地に移動」は、急上昇ワードデータベース２２に記憶された急上昇ワード「Ｂ遊園地」に関連する行動記録ではあるが、その行動の時刻「３月１４日９：１５」は、急上昇ワードに関連付けられた時刻「３月１３日１２：１５」から起算して３時間以内ではない。そのため、急上昇ワード行動ユーザ抽出・記憶部１２は、この行動記録「Ｂ遊園地に移動」の抽出・記憶処理を実行しない。
【００３７】
一方、行動記録データベース２１に記憶された行動記録「アイドルＣの握手会に参加」は、急上昇ワードデータベース２２に記憶された急上昇ワード「アイドルＣ」に関連する行動記録であって、その行動の時刻「３月１４日１１：３０」が急上昇ワードに関連付けられた時刻「３月１４日９：００」から起算して３時間以内である。そのため、急上昇ワード行動ユーザ抽出・記憶部１２は、この行動記録「アイドルＣの握手会に参加」をその行動をしたユーザのユーザＩＤ「００３」及び急上昇ワード「アイドルＣ」が属するカテゴリ「アイドル」とともに抽出し、流行ユーザデータベース２３に記憶する。
【００３８】
本実施形態に記載の発明によると、流行に沿った商品の広告を新たに配信しようとする場合、流行ユーザデータベース２３を参照すれば、新商品広告送信部１３がその機能を発揮する時点において流行ユーザデータベース２３に記憶されているユーザがキーワード検索等を行っていなくても、新商品広告送信部１３は、流行ユーザデータベース２３に記憶されているユーザを、新商品のキーワードとなる流行語に反応するユーザとして検知する。したがって、流行に沿った新商品に反応するユーザにタイムリーに情報を発信することの可能な急上昇ワード行動ユーザ検知装置１を提供できる。また、流行ユーザモニタリング部１４の機能を発揮させようとするときも同様である。
【００３９】
なお、本実施形態に記載された効果は、いずれも、本発明から生じる最も好適な効果を列挙したに過ぎず、本発明による効果は、本実施形態に記載されたものに限定されるものではない。
【符号の説明】
【００４０】
１  急上昇ワード行動ユーザ検知装置
２  端末
１０  制御部
１２  急上昇ワード行動ユーザ抽出・受付部
２０  記憶部
２１  行動記録データベース
２２  急上昇ワードデータベース
２３  流行ユーザデータベース
【図１】
0005389105.tif 000002
【図２】
0005389105.tif 000003
【図３】
0005389105.tif 000004
【図４】
0005389105.tif 000005
【図５】
0005389105.tif 000006